(57)【要約】【課題】第１配管あるいは第２配管が扁平上に変形した場合、ハウジングがこの変形に追従すること。【解決手段】配管継手構造１０は第１リング１３を有する第１配管１１と、第２リング１４を有する第２配管１２と、第１配管１１と第２配管１２を囲む分割自在のハウジング２０とを備える。ハウジング２０の各分割部分２１は突出部２２と受け部２３とを有する。締結手段３０を締付けることにより突出部２２は受け部２３内に当接することなく入り込み、第１リング１３と第２リング１４が分割部分２１に当接する。【選択図】図２
2018179296.tif 000002
【特許請求の範囲】
【請求項１】
一側端部外周に設けられた第１リングを有する第１配管と、
前記第１配管の前記第１リング側に接合され、前記第１配管側端部外周に設けられた第２リングを有する第２配管と、
前記第１配管と前記第２配管の接合部を外方から囲む分割自在のハウジングと、
前記第１配管および前記第２配管と、前記ハウジングとの間に介在されたゴムリングとを備え、
前記ハウジングは分割された複数の分割部分と、分割部分間を締付ける締結手段とを有し、
各分割部分は円周方向に沿う両端部に設けられ、隣接する分割部分側へ突出する突出部と、隣接する分割部分の突出部を受ける受け部とを有し、前記締結手段を締付けることにより、各分割部分の突出部分が隣接する分割部分の受け部内に当接することなく入り込み、各分割部分の半径方向内側の内面が、前記第１配管の前記第１リングおよび前記第２配管の前記第２リングの半径方向外側の外面に当接する配管継手構造。
【請求項２】
前記第１リングおよび前記第２リングは、鋼製となって、前記第１配管と前記第２配管に各々固着されている、請求項１記載の配管継手構造。
【請求項３】
前記ハウジングは鋼製となっている、請求項２記載の配管継手構造。
【請求項４】
各分割部分の前記両端部のうち、前記第１リングおよび前記第２リングの半径方向外側の外面に対応する面取り領域に、面取りが形成されている、請求項１乃至３のいずれか記載の配管継手構造。
【発明の詳細な説明】
【技術分野】
【０００１】
本発明は大型配管用の配管継手構造に係り、とりわけ配管からの漏水を防止することができる配管継手構造に関する。
【背景技術】
【０００２】
従来より大型配管用の配管継手構造として、大径の第１配管および第２配管と、これら第１配管と第２配管の接合部を外方から囲む分割自在のハウジングと、第１配管と第２配管の接合部と、ハウジングとの間に介在されたゴムリングとを備えたものが知られている。
【０００３】
このような配管継手構造は、大径の第１配管と第２配管を接合するものであり、配管継手構造の取付時にはハウジングの各分割部分は互いに密着している。
【０００４】
他方、第１配管および第２配管の支持構造に不具合が生じたり、第１配管および第２配管の自重あるいは第１配管および第２配管内の流体の荷重によって、第１配管および第２配管にせん断荷重がかかると、これらの荷重により第１配管および第２配管が扁平状に変形することがある。このように第１配管および第２配管が扁平した場合であっても、上述のようにハウジングの各分割部分は互いに密着しているため、ハウジングは第１配管および第２配管の扁平状の変形に追従することができず、結局ハウジングと第１配管あるいは第２配管との間に間隙が形成され、止水機能が低下する。
【発明の概要】
【発明が解決しようとする課題】
【０００５】
本発明はこのような点を考慮してなされたものであり、第１配管あるいは第２配管にせん断荷重がかかって第１配管および第２配管が扁平状に変形しても、ハウジングと第１配管および第２配管との間に間隙が形成されることはなく、止水機能の低下を防止することができる配管継手構造を提供することを目的とする。
【課題を解決するための手段】
【０００６】
本発明は、一側端部外周に設けられた第１リングを有する第１配管と、前記第１配管の前記第１リング側に接合され、前記第１配管側端部外周に設けられた第２リングを有する第２配管と、前記第１配管と前記第２配管の接合部を外方から囲む分割自在のハウジングと、前記第１配管および前記第２配管と、前記ハウジングとの間に介在されたゴムリングとを備え、前記ハウジングは分割された複数の分割部分と、分割部分間を締付ける締結手段とを有し、各分割部分は円周方向に沿う両端部に設けられ、隣接する分割部分側へ突出する突出部と、隣接する分割部分の突出部を受ける受け部とを有し、前記締結手段を締付けることにより、各分割部分の突出部分が隣接する分割部分の受け部内に当接することなく入り込み、各分割部分の半径方向内側の内面が、前記第１配管の前記第１リングおよび前記第２配管の前記第２リングの半径方向外側の外面に当接する配管継手構造である。
【０００７】
本発明は、前記第１リングおよび前記第２リングは、鋼製となって、前記第１配管と前記第２配管に各々固着されている、配管継手構造である。
【０００８】
本発明は、前記ハウジングは鋼製となっている、配管継手構造である。
【０００９】
本発明は、各分割部分の前記両端部のうち、前記第１リングおよび前記第２リングの半径方向外側の外面に対応する面取り領域に、面取りが形成されている、配管継手構造である。
【発明の効果】
【００１０】
以上のように、本発明によれば、第１配管および第２配管が扁平しても、ハウジングと第１配管および第２配管との間に間隙は形成されることなく、止水機能の低下を防止することができる。
【図面の簡単な説明】
【００１１】
【図１Ａ】図１Ａは配管継手構造の第１の実施の形態を示す側断面図であって図２のＢ−Ｂ線断面図。
【図１Ｂ】図１Ｂは図１Ａの拡大図。
【図２】図２は図１ＡのＡ−Ａ線矢視図。
【図３】図３は第１の実施の形態の作用を示す図。
【図４】図４は第１の実施の形態の作用を示す図。
【図５】図５は第１の実施の形態の作用を示す図。
【図６】図６は配管継手構造の第２の実施の形態を示す図であって、図１に対応する図。
【図７】図７は第２の実施の形態の作用を示す図。
【図８】図８は第２の実施の形態の作用を示す図。
【図９】図９は第２の実施の形態の作用を示す図。
【図１０Ａ】図１０Ａは面取りを有するハウジングの分割部分を、第１配管および第２配管の接合部外周に設置する状態を示す図。
【図１０Ｂ】図１０Ｂはハウジングの分割部分の面取りを示す図。
【図１０Ｃ】図１０Ｃはハウジングの分割部分の面取りが設けられた部分を示す図。
【図１０Ｄ】図１０Ｄはハウジングの分割部分と、第１配管および第２配管との当接箇所を示す図。
【発明の実施の形態】
【００１２】
＜第１の実施の形態＞
以下、図面を参照して本発明の第１の実施の形態について説明する。
【００１３】
図１Ａおよび図１Ｂ乃至図５は、本発明による配管継手構造の第１の実施の形態を示す図である。
【００１４】
ここで図１Ａは配管継手構造の一実施の形態を示す側断面図であって図２のＢ−Ｂ線断面図、図１Ｂはその拡大図、図２は図１ＡのＡ−Ａ線矢視図である。
【００１５】
また図３乃至図５は、本発明による配管継手構造の作用を示す図２と同様の図である。
【００１６】
まず図１Ａ、図１Ｂおよび図２により、本発明による配管継手構造の概略を述べる。
【００１７】
図１Ａ、図１Ｂおよび図２に示すように、配管継手構造１０は一側端部外周に溶接により取付けられた第１リング１３を有する円筒状の第１配管１１と、第１配管１１の第１リング１３側に接合され、第１配管側の端部外周に溶接により取付けられた第２リング１４を有する円筒状の第２配管１２と、第１配管１１と第２配管１２との間の接合部１０Ａを外方から囲む分割自在の円筒状のハウジング２０と、第１配管１１および第２配管１２の外面と、ハウジング２０の内面との間に介在された円筒状のゴムリング１５とを備えている。
【００１８】
このうち、第１配管１１と第２配管１２は外形が概ね３００ｍｍ以上の大型管となっており、いずれも鋳鉄管あるいは鋼管からなる。
【００１９】
また、第１配管１１の第１リング１３は鋼製となっており、第１配管１１の外周に溶接により取付けられている。
【００２０】
またゴムリング１５は、第１配管１１および第２配管１２の外周に沿って設けられている。
【００２１】
ハウジング２０は全体として鋳鉄製または鋼製となって、複数、例えば４個に分割された分割部分２１、２１、２１、２１と、分割部分２１、２１、２１、２１間を締付ける４つの締結手段３０とを有する。この締結手段３０は各分割部分２１の一側に設けられたボルトパッド２５と他側に設けられたボルトパッド２６とを有し、これらボルトパッド２５、２６間にボルトナット２８を嵌合して締付けることにより、各分割部分２１を締付けることができる。
【００２２】
次にハウジング２０の各分割部分２１、２１、２１、２１について更に述べる。各分割部分２１の円周方向に沿う両端部には、隣接する分割部分２１側へ突出する突出部２２と、隣接する分割部分の突出部２２を受ける受け部２３とが各々設けられている。
【００２３】
図２に示す例では、ある分割部分２１の一端部の半径方向内方に突出部２２が設けられ、その半径方向外方に受け部２３が設けられた場合、当該分割部分の２１の他端部の半径方向内方に受け部２３が設けられ、その半径方向外方に突出部２２が設けられている。
【００２４】
この場合、各分割部分２１の両側に設けられた突出部２２および受け部２３は、隣接する分割部分２１の受け部２３および突出部２２に当接することはなく、所定の距離だけ離間している。
【００２５】
図１Ａ、図１Ｂおよび図２において、４つの締結手段３０のボルトナット２８を締付けた場合、上述のように各分割部分２１の突出部２２か隣接する分割部分２１の受け部２３内に当接することなく入り込む。この時、ハウジング２０の各分割部分２１の半径方向内側の内面２０ａが、第１配管１１の第１リング１３および第２配管１２の第２リング１４の半径方向外側の外面に当接する。
【００２６】
また第１配管１１および第２配管１２の外面とハウジング２０の内面との間にゴムリング１５が介在されており、このゴムリング１５はハウジング２０の各分割部分２１の突起２０ｂにより、第１配管１１および第２配管１２の軸線方向に位置決めさられる。
【００２７】
さらに各分割部分２１の半径方向内側の内面２０ａが第１配管１１の第１リング１３および第２配管１２の第２リング１４の半径方向外側の外面に当接した場合、突起２０ｂは第１配管１１の外面および第２配管１２の外面からわずかに離間して浮いている。
【００２８】
また各分割部分２１の突出部２２は、隣接する分割部分２１の受け部２３との間で印籠構造を構成し、この印籠構造はゴムリング１５の第１配管１１および第２配管１２の軸線方向両側に位置してゴムリング１５を外方から覆っている。
【００２９】
次にこのような構成からなる本実施の形態の作用について説明する。
【００３０】
まず、大形管からなる第１配管１１と第２配管１２を準備して互いに接合する。次に第１配管１１と第２配管１２の接合部１０Ａの外周に全周に渡ってゴムリング１５を配置する。ゴムリング１５はその一部が切断されているため、第１配管１１と第２配管１２の接合部１０Ａの外周に、容易に配置することができる。
【００３１】
次に４つ割れされたハウジング２０の分割部分２１を第１配管１１と第２配管１２の接合部１０Ａ外周に、この接合部１０Ａおよびゴムリング１５を外方から囲むように配置する。
【００３２】
その後４つの締結手段３０のボルトナット２８を締付けることにより、４つの分割部分２１を堅固に固定して、第１配管１１と第２配管１２の接合部１０Ａ外周に接合部１０Ａおよびゴムリング１５を外方から囲むハウジング２０を設置する。このことにより配管継手構造１０を組立てることができる。
【００３３】
締結手段３０のボルトナット２８を締付けた場合、各分割部分２１の突出部２２は隣接する分割部分２１の受け部２３に当接することなく入り込む。そして分割部分２１の半径方向内側の内面２０ａが第１配管１１の第１リング１３および第２配管１２の第２リング１４の外面に当接し、この段階で締結手段３０のボルトナット２８の締付が停止する。
【００３４】
このように各分割部分２１の半径方向内側の内面２０ａが第１配管１１の第１リング１３の外面および第２配管１２の第２リング１４の外面に当接するため、各分割部分２１と第１配管１１および第２配管１２との間の隙間が一定に定まる。このことにより、各分割部分２１と第１配管１１および第２配管１２との間で均一な圧力で、ゴムリング１５を押圧することができ、第１配管１１と第２配管１２の接合部１０Ａから漏水することはなく、止水機能を所定レベルに一定に保つことができる。
【００３５】
使用に際して、第１配管１１および第２配管１２の支持構造に不具合が生じたり、第１配管１１および第２配管１２の自重により、あるいは第１配管１１および第２配管１２を流れる流体からの荷動により第１配管１１および第２配管１２にせん断力がかかり、これらのせん断力により第１配管１１および第２配管１２が扁平状に変形することがある。
【００３６】
この場合、図３に示すように、第１配管１１は扁平状に変形して、上下方向の外縁が縮み、横方向の外縁が拡がる。この際、ハウジング２０の各分割部分２１の突出部２２は隣接する分割部分２１の受け部２３内に当接することなく入り込んでおり、かつ各分割部分２１の半径方向内側の内面２０ａが第１リング１３および第２リング１４の半径方向外側の外面に当接しているため、各分割部分２１は第１配管１１と第２配管１２の接合部１０Ａ外周において、その姿勢を変えることができる。
【００３７】
具体的には、図３において第１配管１１は上下方向に外縁が縮み、横方向にその外縁が拡がるため、各分割部分２１も図３において第１配管１１の上下方向に沿って内側へ移動し、第１配管１１の横方向に沿って外側へ移動するようその姿勢を変化させる。このことにより、第１配管１１が上下方向に外縁が縮み、横方向にその外縁が拡がるよう扁平状変形してもハウジング２０の各分割部分２１が第１配管１１の変形に合わせてその姿勢を変化させる。このことによりハウジング２０は全体として上下方向に内縁が縮み、横方向に内縁が拡がるため、第１配管１１の扁平状の変形に追従してハウジング２０の形状を同様に扁平状に変形させることができる。
【００３８】
なお、図３において、第１配管１１および第２配管１２のうち、第１配管１１のみを便宜上示したが、第２配管１２の扁平状の変形に合わせて、同様にハウジング２０の分割部分２１もその姿勢を変化させることができる。
【００３９】
以上のことから第１配管１１および第２配管１２とハウジング２０との間で堅固にゴムリング１５を押圧することができ、止水機能の低下を防止することができる。
【００４０】
次に配管継手構造の他の組立て方法について図４および図５により説明する。
【００４１】
まず図４に示すように第１配管１１と第２配管１２の外縁が基準のものよりわずかに大きい場合、大形管からなる第１配管１１と第２配管１２を準備して互いに接合する。なお図４において、便宜上第１配管１１のみを示すが、第２配管１２についても第１配管１１と同様である。次に第１配管１１と第２配管１２の接合部１０Ａの外周に全周に渡ってゴムリング１５を配置する。ゴムリング１５はその一部が切断されているため、第１配管１１と第２配管１２の接合部１０Ａの外周に、容易に配置することができる。
【００４２】
次に４つ割れされたハウジング２０の分割部分２１を第１配管１１と第２配管１２の接合部１０Ａ外周に、この接合部１０Ａおよびゴムリング１５を外方から囲むように配置する。
【００４３】
その後４つの締結手段３０のボルトナット２８を締付けることにより、４つの分割部分２１を堅固に固定して、第１配管１１と第２配管１２の接合部１０Ａ外周に接合部１０Ａおよびゴムリング１５を外方から囲むハウジング２０を設置し、このことにより配管継手構造１０を組立てることができる。
【００４４】
この場合、基準の大きさの第１配管１１および第２配管１２を組立てる場合に比べてボルトナット２８の締付け量を少なくする。このことにより、ハウジング２０を半径方向外方へ拡げて第１配管１１と第２配管１２の外縁に合わせて組立てることができる。
【００４５】
次に図５に示すように、第１配管１１と第２配管１２の外経が基準のものよりわずかに小さい場合、大形管からなる第１配管１１と第２配管１２を準備して互いに接合する。なお、図５において、便宜上第１配管１１のみを示すが、第２配管１２についても第１配管１１と同様である。次に第１配管１１と第２配管１２の接合部１０Ａの外周に全周に渡ってゴムリング１５を配置する。ゴムリング１５はその一部が切断されているため、第１配管１１と第２配管１２の接合部１０Ａの外周に、容易に配置することができる。
【００４６】
次に４つ割れされたハウジング２０の分割部分２１を第１配管１１と第２配管１２の接合部１０Ａ外周に、この接合部１０Ａおよびゴムリング１５を外方から囲むように配置する。
【００４７】
その後４つの締結手段３０のボルトナット２８を締付けることにより、４つの分割部分２１を堅固に固定して、第１配管１１と第２配管１２の接合部１０Ａ外周に接合部１０Ａおよびゴムリング１５を外方から囲むハウジング２０を設置し、このことにより配管継手構造１０を組立てることができる。
【００４８】
この場合、基準の大きさの第１配管１１および第２配管１２を組立てる場合に比べてボルトナット２８の締付け量を大きくする。このことにより、ハウジング２０を半径方向内方へ縮めて第１配管１１と第２配管１２の外縁に合わせて組み立てることができる。
【００４９】
＜第２の実施の形態＞
以下、図面を参照して本発明の第２の実施の形態について説明する。
【００５０】
図６乃至図１０Ｃは、本発明による配管継手構造の第２の実施の形態を示す図である。
【００５１】
図６乃至図１０Ｃに示す第２の実施の形態は、ハウジング２０が２つの分割部分２１，２１からなる点が相違するが、他の部分は図１Ａおよび図１Ｂ乃至図５に示す第１の実施の形態と略同一である。図６乃至図１０Ｃに示す第２の実施の形態において、図１Ａおよび図１Ｂ乃至図５に示す第１の実施の形態と同一部分には同一符号を付して詳細な説明は省略する。
【００５２】
まず配管継手構造１０の概略を述べる。配管継手構造１０は一側端部外周に溶接により取付けられた第１リング１３を有する円筒状の第１配管１１と、第１配管１１の第１リング１３側に接合され、第１配管側の端部外周に溶接により取付けられた第２リング１４を有する円筒状の第２配管１２と、第１配管１１と第２配管１２との間の接合部１０Ａを外方から囲む分割自在の円筒状のハウジング２０と、第１配管１１および第２配管１２の外面と、ハウジング２０の内面との間に介在された円筒状のゴムリング１５とを備えている（図１Ａ、図１Ｂおよび図２参照）。
【００５３】
このうち、第１配管１１と第２配管１２は外形が概ね３００ｍｍ未満の小型管となっており、いずれも鋳鉄管あるいは鋼管からなる。
【００５４】
また、第１配管１１の第１リング１３は鋼製となっており、第１配管１１の外周に溶接により取付けられている。
【００５５】
またゴムリング１５は、第１配管１１および第２配管１２の外周に沿って設けられている。
【００５６】
ハウジング２０は全体として鋳鉄製または鋼製となって、図６に示すように２個に分割された分割部分２１、２１と、分割部分２１、２１間を締付ける２つの締結手段３０とを有する。この締結手段３０は各分割部分２１の一側に設けられたボルトパッド２５と他側に設けられたボルトパッド２６とを有し、これらボルトパッド２５、２６間にボルトナット２８を嵌合して締付けることにより、各分割部分２１を締付けることができる。
【００５７】
次にハウジング２０の各分割部分２１、２１について更に述べる。各分割部分２１の円周方向に沿う両端部には、隣接する分割部分２１側へ突出する突出部２２と、隣接する分割部分の突出部２２を受ける受け部２３とが各々設けられている。
【００５８】
図６に示す例では、一方の分割部分２１の一端部の半径方向内方に突出部２２が設けられ、その半径方向外方に受け部２３が設けられた場合、当該分割部分の２１の他端部の半径方向内方に受け部２３が設けられ、その半径方向外方に突出部２２が設けられている。
【００５９】
この場合、各分割部分２１の両側に設けられた突出部２２および受け部２３は、隣接する分割部分２１の受け部２３および突出部２２に当接することはなく、所定の距離だけ離間している。
【００６０】
図６において、２つの締結手段３０のボルトナット２８を締付けた場合、上述のように各分割部分２１の突出部２２か隣接する分割部分２１の受け部２３内に当接することなく入り込む。この時、ハウジング２０の各分割部分２１の半径方向内側の内面２０ａが、第１配管１１の第１リング１３および第２配管１２の第２リング１４の半径方向外側の外面に当接する。
【００６１】
また第１配管１１および第２配管１２の外面とハウジング２０の内面との間にゴムリング１５が介在されており、このゴムリング１５はハウジング２０の分割部分２１の突起２０ｂにより、第１配管１１および第２配管１２の軸線方向に位置決めさられる。
【００６２】
さらに各分割部分２１の半径方向内側の内面２０ａが第１配管１１の第１リング１３および第２配管１２の第２リング１４の半径方向外側の外面に当接した場合、突起２０ｂは第１配管１１の外面および第２配管１２の外面からわずかに離間して浮いている。
【００６３】
また各分割部分２１の突出部２２は、隣接する分割部分２１の受け部２３との間で印籠構造を構成し、この印籠構造はゴムリング１５の第１配管１１および第２配管１２の軸線方向両側に位置してゴムリング１５を外方から覆っている。
【００６４】
次にこのような構成からなる本実施の形態の作用について説明する。
【００６５】
まず、小形管からなる第１配管１１と第２配管１２を準備して互いに接合する。次に第１配管１１と第２配管１２の接合部１０Ａの外周に全周に渡ってゴムリング１５を配置する。ゴムリング１５はその一部が切断されているため、第１配管１１と第２配管１２の接合部１０Ａの外周に、容易に配置することができる。
【００６６】
次に２つ割れされたハウジング２０の分割部分２１を第１配管１１と第２配管１２の接合部１０Ａ外周に、この接合部１０Ａおよびゴムリング１５を外方から囲むように配置する。
【００６７】
その後２つの締結手段３０のボルトナット２８を締付けることにより、２つの分割部分２１を堅固に固定して、第１配管１１と第２配管１２の接合部１０Ａ外周に接合部１０Ａおよびゴムリング１５を外方から囲むハウジング２０を設置する。このことにより配管継手構造１０を組立てることができる。
【００６８】
締結手段３０のボルトナット２８を締付けた場合、各分割部分２１の突出部２２は隣接する分割部分２１の受け部２３に当接することなく入り込む。そして分割部分２１の半径方向内側の内面２０ａが第１配管１１の第１リング１３および第２配管１２の第２リング１４の外面に当接し、この段階で締結手段３０のボルトナット２８の締付が停止する。
【００６９】
このように各分割部分２１の半径方向内側の内面２０ａが第１配管１１の第１リング１３の外面および第２配管１２の第２リング１４の外面に当接するため、各分割部分２１と第１配管１１および第２配管１２との間の隙間が一定に定まる。このことにより、各分割部分２１と第１配管１１および第２配管１２との間で均一な圧力で、ゴムリング１５を押圧することができ、第１配管１１と第２配管１２の接合部１０Ａから漏水することはなく、止水機能を所定レベルに一定に保つことができる。
【００７０】
使用に際して、第１配管１１および第２配管１２の支持構造に不具合が生じたり、第１配管１１および第２配管１２の自重により、あるいは第１配管１１および第１配管１２を流れる流体からの荷動により第１配管１１および第２配管１２にせん断力がかかり、これらのせん断力により第１配管１１および第２配管１２が扁平状に変形することがある。
【００７１】
この場合、図７に示すように、第１配管１１は扁平状に変形して、上下方向の外縁が縮み、横方向の外縁が拡がる。この際、ハウジング２０の各分割部分２１の突出部２２は隣接する分割部分２１の受け部２３内に当接することなく入り込んでおり、かつ各分割部分２１の半径方向内側の内面２０ａが第１リング１３および第２リング１４の半径方向外側の外面に当接しているため、各分割部分２１は第１配管１１と第２配管１２の接合部１０Ａ外周において、その姿勢を変えることができる。
【００７２】
具体的には、図７において第１配管１１は上下方向に外縁が縮み、横方向にその外縁が拡がるため、各分割部分２１も図７において第１配管１１の上下方向に沿って内側へ移動し、第１配管１１の横方向に沿って外側へ移動するようその姿勢を変化させる。このことにより、第１配管１１が上下方向に外縁が縮み、横方向にその外縁が拡がるよう扁平状変形してもハウジング２０の各分割部分２１が第１配管１１の変形に合わせてその姿勢を変化させる。このことによりハウジング２０は全体として上下方向に内縁が縮み、横方向に内縁が拡がるため、第１配管１１の扁平状の変形に追従してハウジング２０の形状を同様に扁平状に変形させることができる。
【００７３】
なお、図７において、第１配管１１および第２配管１２のうち、第１配管１１のみを便宜上示したが、第２配管１２の扁平状の変形に合わせて、同様にハウジング２０の分割部分２１もその姿勢を変化させることができる。
【００７４】
以上のことから第１配管１１および第２配管１２とハウジング２０との間で堅固にゴムリング１５を押圧することができ、止水機能の低下を防止することができる。
【００７５】
次に配管継手構造の他の組立て方法について図８および図９により説明する。
【００７６】
まず図８に示すように第１配管１１と第２配管１２の外縁が基準のものよりわずかに大きい場合、小形管からなる第１配管１１と第２配管１２を準備して互いに接合する。なお図８において、便宜上第１配管１１のみを示すが、第２配管１２についても第１配管１１と同様である。次に第１配管１１と第２配管１２の接合部１０Ａの外周に全周に渡ってゴムリング１５を配置する。ゴムリング１５はその一部が切断されているため、第１配管１１と第２配管１２の接合部１０Ａの外周に、容易に配置することができる。
【００７７】
次に２つ割れされたハウジング２０の分割部分２１を第１配管１１と第２配管１２の接合部１０Ａ外周に、この接合部１０Ａおよびゴムリング１５を外方から囲むように配置する。
【００７８】
その後２つの締結手段３０のボルトナット２８を締付けることにより、２つの分割部分２１を堅固に固定して、第１配管１１と第２配管１２の接合部１０Ａ外周に接合部１０Ａおよびゴムリング１５を外方から囲むハウジング２０を設置し、このことにより配管継手構造１０を組立てることができる。
【００７９】
この場合、基準の大きさの第１配管１１および第２配管１２を組立てる場合に比べてボルトナット２８の締付け量を少なくする。このことにより、ハウジング２０を半径方向外方へ拡げて第１配管１１と第２配管１２の外縁に合わせて組立てることができる。
【００８０】
次に図９に示すように、第１配管１１と第２配管１２の外経が基準のものよりわずかに小さい場合、大形管からなる第１配管１１と第２配管１２を準備して互いに接合する。なお、図９において、便宜上第１配管１１のみを示すが、第２配管１２についても第１配管１１と同様である。次に第１配管１１と第２配管１２の接合部１０Ａの外周に全周に渡ってゴムリング１５を配置する。ゴムリング１５はその一部が切断されているため、第１配管１１と第２配管１２の接合部１０Ａの外周に、容易に配置することができる。
【００８１】
次に２つ割れされたハウジング２０の分割部分２１を第１配管１１と第２配管１２の接合部１０Ａ外周に、この接合部１０Ａおよびゴムリング１５を外方から囲むように配置する。
【００８２】
その後２つの締結手段３０のボルトナット２８を締付けることにより、２つの分割部分２１を堅固に固定して、第１配管１１と第２配管１２の接合部１０Ａ外周に接合部１０Ａおよびゴムリング１５を外方から囲むハウジング２０を設置し、このことにより配管継手構造１０を組立てることができる。
【００８３】
この場合、基準の大きさの第１配管１１および第２配管１２を組立てる場合に比べてボルトナット２８の締付け量を大きくする。このことにより、ハウジング２０を半径方向内方へ縮めて第１配管１１と第２配管１２の外縁に合わせて組み立てることができる。
【００８４】
次にハウジング２０の各分割部分２１，２１の構造について、図１０Ａ乃至図１０Ｄにより更に述べる。
【００８５】
上述のように外周に第１リング１３が設けられた第１配管１１と、外周に第２リング１４が設けられた第２配管１２の接合部１０Ａ外周に、接合部１０Ａおよびゴムリング１５を外方から囲むハウジング２０が設置される。
【００８６】
この場合、第１配管１１および第２配管１２の外径と、ハウジング２０の内径は略同一となっているため、ハウジング２０の各分割部分２１を接合部１０Ａおよびゴムリング１５の外方から設置する際、とりわけ第１配管１１および第２配管１２の管径が設計値に対して垂直方向に拡がり、水平方向に縮んでいると（図１０Ｄ参照）、例えば第１配管１１上の第１リング１３と、分割部分２１の端部とが、当接箇所Ｐ１，Ｐ２において当接し、分割部分２１を接合部１０Ａ外周へ確実に設置できないことも考えられる。この場合は、同様に第２配管１２上の第２リング１４と、分割部分２１の端部とが当接箇所Ｐ１，Ｐ２において当接してしまう。
【００８７】
このように分割部分２１を第１配管１１あるいは第２配管１２上へ設置できない状態をなくすため、本実施の形態によれば、図１０Ａ乃至図１０Ｃに示すように、各分割部分２１の両端部のうち、第１配管１１の第１リング１３および第２配管１２の第２リング１４の外面に対応する領域（面取り領域）３１，３２に、面取り２１Ａが設けられている。このように分割部分２１の両端部に面取り２１Ａを設けることにより、分割部分２１の両端部の内面と、第１配管１１の第１リング１３および第２配管１２の第２リング１４の外面とが当接して分割部分２１が接合部１０Ａ外周の適切な位置に設置できない状況を未然に回避することができる（図１０Ａ参照）。このことにより各分割部分２１を接合部１０Ａ外周の所定の位置に確実に設置することができる。
【００８８】
ここで図１０Ｂおよび図１０Ｃに、分割部分２１の両端部に設けられた面取り２１Ａの形状を示す。図１０Ｂおよび図１０Ｃに示すように、分割部分２１の両端部に設けられた面取り２１Ａは、その最大深さがａ、その円周方向長さがｂとなっており、この場合、ａ＜ｂとなっている。
【符号の説明】
【００８９】
１０    配管継手構造
１０Ａ  接合部
１１    第１配管
１２    第２配管
１３    第１リング
１４    第２リング
１５    ゴムリング
２０    ハウジング
２０Ａ  面取り
２０ａ  内面
２０ｂ  突起
２１    分割部分
２２    突出部
２３    受け部
２５    ボルトパッド
２６    ボルトパッド
２８    ボルトナット
３０    締結手段
３１    面取り領域
３２    面取り領域
【図１Ａ】
2018179296.tif 000003
【図１Ｂ】
2018179296.tif 000004
【図２】
2018179296.tif 000005
【図３】
2018179296.tif 000006
【図４】
2018179296.tif 000007
【図５】
2018179296.tif 000008
【図６】
2018179296.tif 000009
【図７】
2018179296.tif 000010
【図８】
2018179296.tif 000011
【図９】
2018179296.tif 000012
【図１０Ａ】
2018179296.tif 000013
【図１０Ｂ】
2018179296.tif 000014
【図１０Ｃ】
2018179296.tif 000015
【図１０Ｄ】
2018179296.tif 000016